(57)【要約】【課題】眼鏡やガラス等のように一つの照射領域内に反射率の大きなものが存在したとしても被写体全体を適正露出に保つことができる撮影装置を提供する。【解決手段】  撮影時の本発光に先立って、複数のＬＥＤ（領域１〜９）それぞれから複数の照射領域それぞれに向けてプリ発光を行わせ、そのプリ発光の反射光量を撮像素子で受光した眼鏡のような高反射率の物体が照射領域内にないかどうかを判定し、眼鏡等が存在した場合には本発光時に適正光量よりも下げた光量でその照射領域に向けて撮影補助光を照射させるようにして白飛びの発生を防止する。撮影後に画像処理部で、下げた光量で照射した領域については後から輝度補正を行なうようにして被写体全体が適正露出になるように調節する。【選択図】図６
2007020103.tif 000002
【特許請求の範囲】
【請求項１】
撮像素子を備え、該撮像素子上に撮影光学系で被写体像を結像して画像信号を生成する撮影装置において、
撮影画角内が二次元的に分割された複数の照射領域それぞれに向けて独立に制御された光を照射する発光部と、
撮影時の本発光に先立って、前記発光部に前記複数の照射領域それぞれに向けてプリ発光を行わせ、該プリ発光の反射光量に応じて前記複数の照射領域それぞれの本発光時の発光光量を算出し、前記発光部に、算出された各照射領域ごとの発光光量の本発光を行わさせる発光制御部とを備え、
前記発光制御部が、プリ発光の反射光量分布に基づいて、本発光時に適正光量で照射したとすると画像信号が飽和する飽和点が発生する否かを判定し、該飽和点が発生する場合には、本発光時に該飽和点を含む照射領域については適正光量よりも下げた光量で照射させるものであって、さらに、
本発光時に適正光量よりも下げた光量で照射させた照射領域について前記飽和点を非飽和な画像信号レベルに抑えるとともに、該飽和点を除き適正光量で照射させた場合と同等の画像信号が得られるように画像処理を行なう画像処理部を備えたことを特徴とする撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
青色発光ダイオードの出現により、白色光を発光ダイオードで生成することもできるようになってきたため、今後の電力消費量を軽減することを考えて消費電力の大きな白熱灯を、消費電力の小さなＬＥＤに切り替えていこうという動きがある。このような動きはデジタルカメラの世界にも波及してきており、いままで撮影補助光用に用いられていたキセノン管の代わりに上記ＬＥＤを適用しようとする動きが活発になってきている。
【０００３】
ところで、ＬＥＤのような発光体を多数用いたときにはそれぞれの配先などを変えることで様々な配光の撮影補助光を発光させることが可能ではあるが、様々な配光で撮影補助光を被写体に向けて照射させたときに被写体全体を適正露出に保つためには各ＬＥＤの発光量が適正光量になったときに各ＬＥＤの発光を個別に停止させるような調光を行う必要がある。
【０００４】
このような調光の方式としては、プリ発光を行って本発光時の発光光量を算出して本発光時に算出した発光光量で被写体に向けて撮影補助光を照射させる方式（以降第１の方式）のもの（例えば特許文献１参照）と、撮影補助光を照射させている状態にあるときに光量が適正光量になったことを受光センサなどで検知して発光を停止させる方式（以降第２の方式）のものとがある（特許文献２参照）。
【０００５】
しかし、特許文献２の技術を用いた場合には、照射領域内の一部にもしも高反射率の眼鏡やガラス等が存在したとしてもその領域内の平均的な輝度が検出されてしまうため、眼鏡やガラスに必要以上の光量の撮影補助光が照射されてしまう恐れがある。もしもそのようなことが起こると撮像素子が備える多数の受光素子のいずれかに上記眼鏡、ガラス等から反射されてきた反射光が必要以上に受光されてしまって画像データの一部に白飛びが発生してしまうといった事態が起こる。
【０００６】
そこで、特許文献１のプリ発光方式を採用し、さらに元々受光素子が２次元的に多数配列されている撮像素子を調光用の受光センサとしても用いることで、ＬＥＤの一つの照射領域内をさらに分割して一照射領域内の反射光量分布を検出するようなことを行って白飛びの発生を防止するようなことが行われている。つまり、一つの照射領域内に眼鏡等の反射率の大きな物体が存在したとしても、その眼鏡を含む領域内の反射光量分布が、プリ発光により撮影前に検出されることを利用して複数のＬＥＤそれぞれから撮影補助光を照射させようとするときに眼鏡のある領域に対応するＬＥＤの発光光量を下げて被写体に照射させることにより上記白飛びの発生を防止しようというのである。
【０００７】
しかし、そうするとその眼鏡の存在する照射領域全体の光量が他の領域に比べて低下してしまい被写体全体の輝度にばらつきが生じて適正露出が得られないという不具合が発生する。
【０００８】
これを解消する施策の一つに撮像素子が備える受光素子の数だけＬＥＤを設けて細かな領域ごとに撮影補助光を照射させることができるようにすること等が考えられるが、撮像素子が備える受光素子の数だけＬＥＤを設けるというのは如何にも非現実的である。
【特許文献１】特開２００３−１７９８０号公報
【特許文献２】特開２００２−１４８６８６号公報
【発明の開示】
【発明が解決しようとする課題】
【０００９】
本発明は、上記事情に鑑み、眼鏡やガラス等のように一つの照射領域内に高反射率のものが存在したとしても被写体全体を適正露出に保つことができる撮影装置を提供することを目的とする。
【課題を解決するための手段】
【００１０】
上記目的を達成する本発明の撮影装置は、撮像素子を備え、その撮像素子上に撮影光学系で被写体像を結像して画像信号を生成する撮影装置において、
撮影画角内が二次元的に分割された複数の照射領域それぞれに向けて独立に制御された光を照射する発光部と、
撮影時の本発光に先立って、上記発光部に上記複数の照射領域それぞれに向けてプリ発光を行わせ、そのプリ発光の反射光量に応じて上記複数の照射領域それぞれの本発光時の発光光量を算出し、上記発光部に、算出された各照射領域ごとの発光光量の本発光を行わさせる発光制御部とを備え、
上記発光制御部が、プリ発光の反射光量分布に基づいて、本発光時に適正光量で照射したとすると画像信号が飽和する飽和点が発生する否かを判定し、その飽和点が発生する場合には、本発光時にその飽和点を含む照射領域については適正光量よりも下げた光量で照射させるものであって、さらに、
本発光時に適正光量よりも下げた光量で照射させた照射領域について上記飽和点を非飽和な画像信号レベルに抑えるとともに、その飽和点を除き適正光量で照射させた場合と同等の画像信号が得られるように画像処理を行なう画像処理部を備えたことを特徴とする。
【００１１】
上記本発明の撮影装置によれば、上記発光制御部が、プリ発光の反射光量分布に基づいて、本発光時に適正光量で照射したとすると画像信号が飽和する飽和点が発生する否かを判定し、その飽和点が発生する（例えば上記眼鏡が存在する領域がある）場合には、本発光時にその飽和点を含む照射領域については適正光量よりも下げた光量で上記発光部に照射を行わさせ、画像信号を得た後、上記画像処理部が、その適正光量よりも下げた光量で照射させた照射領域（上記眼鏡が存在する照射領域）について上記飽和点を非飽和な画像信号レベルに抑えるとともに、その飽和点を除き適正光量で照射させた場合と同等の画像信号が得られるように画像処理を行なう。
【００１２】
つまり、上記発光制御部が光量を下げる様に指示して上記発光部に照射させた照射領域（上記眼鏡等が存在する領域）内の光量が画像処理部の処理によって適正光量になるように輝度が調整され、飽和点（眼鏡、ガラス等）については上記下げた光量に応じた輝度そのままに維持される。
【００１３】
このように上記画像処理部により適正光量になるように輝度の調整が行なわれると、眼鏡のように飽和点を発生させるものが被写体中に存在したとしてもその飽和点を表わす画像信号のレベルを非飽和な画像信号レベルに抑えるとともに、その飽和点を除いた領域をその領域の周辺の輝度と同等の光量に調節することができる。
【００１４】
すなわち、眼鏡等のように一つの照射領域内に反射率の大きなものが存在したとしても被写体全体を適正露出に保つことができる撮影装置が実現される。
【発明の効果】
【００１５】
以上、説明したように、眼鏡等のように一つの照射領域内に反射率の大きなものが存在したとしても被写体全体を適正露出に保つことができる撮影装置が実現される。
【発明を実施するための最良の形態】
【００１６】
以下、本発明の実施の形態について説明する。
【００１７】
図１は、本発明の撮影装置の一実施形態であるデジタルカメラを示す図である。
【００１８】
図１に本発明の一実施形態であるデジタルカメラの構成斜視図であり、図１（ａ）は正面上方から見た図、図１（ｂ）は背面上方から見た図である。
【００１９】
図１（ａ）に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれるようになっている。このデジタルカメラ１００では、後述するＣＣＤ固体撮像素子でスルー画や撮影画像を表す画像信号が生成される他、その画像信号に基づいてＴＴＬ測距およびＴＴＬ測光が後述するシステム制御回路により行われて被写体距離や被写体輝度が検出されるようにもなっている。
【００２０】
本実施形態のデジタルカメラにおいては、前述のプリ発光方式（特許文献１の技術）を採用し、さらにそのプリ発光光の反射光をＣＣＤ固体撮像で検出し反射光量分布を作成することによって本発光時の発光光量を正確に算出するようにして白飛びの発生を防止するようにしている。具体的には後述する発光部に複数のＬＥＤを設けて撮影画角内が二次元的に分割された複数の照射領域それぞれに向けて独立に制御された光を照射することができるようにしておいて、それぞれの照射領域からの反射光をＣＣＤ固体撮像素子の多くの画素それぞれによって受光することによってそれぞれの照射領域の平均的な輝度、および眼鏡などが照射領域内に存在した場合においてはその領域内の反射光量分布を検出することができるようにしている。
【００２１】
このようにしておくと、本発光時にその眼鏡が存在する照射領域に向けて光量を下げて撮影補助光を照射することができるようになるため、本発光時に眼鏡などからの反射光をＣＣＤ固体撮像素子が備える受光素子のうちのいずれかで受光したとしてもその受光素子が飽和することがなくなる。さらにその光量を下げたことを後述するシステム制御回路が認識していることになるので、そのシステム制御回路から後述する画像処理回路にその発行光量等を通知することによって画像処理回路によって被写体を表わす画像信号全体の輝度むらを補正することもできる。つまり、本発明にいうところの、画像処理部によって適正光量で照射させた場合と同等の画像信号が得られるように画像処理を行うことで上記輝度むらが解消されることになる。
【００２２】
また、図１（ｂ）に示すように本実施形態のデジタルカメラ１００の背面および上面にはユーザがこのデジタルカメラ１００を使用するときにいろいろな操作を行うための操作子群が設けられている。
【００２３】
この操作子群１０１の中にはデジタルカメラ１００を作動させるための電源スイッチ１０１ａのほか、十字キー（ズームスイッチ兼用）１０１ｂ、メニュー／ＯＫキー１０１ｃ、キャンセルキー１０１ｄ、モードレバー１０１ｅなどがある。これらの操作子群の中のモードレバー１０１ｅによって再生モードと撮影モードの切替や撮影モードの中でさらに動画モード、静止画モードの切替が行なわれる。このモードレバー１０１ｅが撮影モードに切り替えられるとスルー画が表示されてそのスルー画を見ながらレリーズ釦１０２が押されると被写体の撮影が行なわれ、再生側に切り替えられると既撮影画像の再生表示が画像表示部１５０が備えるパネル１５０ａ上に行なわれる。
【００２４】
図２は図１のデジタルカメラ１００の内部の構成を示す構成ブロック図である。
【００２５】
図２を参照してデジタルカメラ１００内部の構成を説明する。
【００２６】
本実施形態のデジタルカメラ１００ではすべての処理がシステム制御回路１１０によって制御されていて、このシステム制御回路１１０の入力部には図１（ｂ）に示した操作部（各種操作子群）１０１，１０２からの操作信号や色温度検出回路１４１からの検出信号がそれぞれ供給されている。
【００２７】
また、図２には分割測光手段１１０ｂからの分割測光値がシステム制御回路１１０に供給されているという風に示されている。ここではシステム制御回路１１０が分割測光手段にあたり、ＣＣＤ１２０で生成された画像データがＡ／Ｄ変換部１３０でデジタル信号に変換されメモリ制御部１１１ａに制御されてシステム制御回路１１０に供給されるということを示すために分割測光手段というものをシステム制御回路１１０の外にわざわざ示してある。また、その測光結果に基づいてシステム制御回路１１０がプリ発光光量を算出して発光量制御装置１１２に指示してＬＥＤ駆動回路１１３の駆動により複数のＬＥＤ１１４Ａ〜１１４Ｉそれぞれを発光させるということを示すためにプリ発光制御手段１１０ｂというものをシステム制御回路１１０の外にわざわざ示してある。また図２には３つのＬＥＤのみが示されているが、実際には９つのＬＥＤ１１４Ａ〜１１４Ｉが３×３のように配列されているものとする。
【００２８】
このようにしておくと、システム制御回路１１０の制御の基、発光量制御装置１１２に発光指示を出してＬＥＤ駆動回路１１３に各ＬＥＤ１１４Ａ〜１１４Ｉの駆動を個別に行わせてプリ発光および本発光を行わせることができる。プリ発光を行わせるときにはＣＣＤ１２０にプリ発光光の反射光を受光させて受光させた光量に基づいて本発光時の発光稿料を算出してから算出した光量でそれぞれのＬＥＤから撮影補助光を照射させることができる。
【００２９】
これらの動作を制御するためのプログラムが、不揮発性メモリ１１０１に格納されており、そのプログラムにしたがって９つのＬＥＤ１１４Ａ〜１１４Ｉそれぞれの発光動作が発光量制御装置１１２により制御される。
【００３０】
また、カメラボディ側面部にあるコネクタ１１０５にケーブルを介してアンテナ１１０１が接続されると外部との間で無線通信が行なえる通信手段や、操作内容をユーザに伝える表示部１１０２やメモリ１０３なども配備されている。
【００３１】
このような構成を持つデジタルカメラ１００の電源スイッチ１０１ａが投入されると、不揮発性メモリ１１０１内の全体処理プログラムの手順にしたがってシステム制御回路１１０によりこのデジタルカメラ１００全体の動作が統括的に制御される。
【００３２】
この例ではデジタルカメラ１００の電源スイッチ１０１ａ（図１参照）が投入されたら、システム制御回路１１０により電源スイッチ１０１ａが投入されたことが検知され、電池Ｂｔから電源制御手段１１１ｂを介してシステム制御回路１１０などの各ブロックに電力が供給されるようになっている。この例では電池Ｂｔが電池装填室（点線で示す部分）に装填されると電池装填室内の電極端子が電池の各電極に接続され電池からの電力が電源制御手段に供給されるようになっていることがコネクタ結線の形で示されている。
【００３３】
ここで、まず画像信号の流れに関与する撮影光学系および後段の信号処理部の構成を、図２を参照して説明する。
【００３４】
図１に示すレンズ鏡胴１７０内には、フォーカスレンズ（ズームレンズ）１７２０や絞り１７４０などが配備されている。図１に示してあるのは電源スイッチ１０２が投入されレンズ鏡胴１７０が繰出された後の状態であって、電源断時にはこのレンズ鏡胴１７０が沈胴してカメラボディと面一になるようなバリア１７１０が撮影レンズを覆うようになっている。
【００３５】
そのバリア１７１０が撮影レンズ１７２０を覆ってＣＣＤ固体撮像素子１２０への光の漏れこみが防止された状態にあるときに、電源スイッチ１０２が投入されるとバリア１７１０が解放されてレンズ鏡胴１７０が繰出され撮影準備が整えられる。
【００３６】
この電源スイッチ１０２が投入されたときにモードレバー１０１ｅ（図１参照）が撮影側に切り替えられていた場合には、まずＣＣＤ固体撮影素子１１０に結像された被写体像がタイミング発生回路からのタイミング信号に基づいて所定の間隔ごとに間引かれて出力される。その出力された画像信号がＡ／Ｄ変換回路１３０でアナログの画像信号からデジタルの画像信号に変換され、さらにデジタルの画像信号がメモリ制御部１１１ａの制御の基、画像処理回路１４０に導かれる。この画像処理回路１４０でＲＧＢの画像信号からＹＣ信号に変換される。さらにその後、メモリ制御部１１１ａの制御の基、画像表示メモリ１５１に導かれてスルー画を表わす画像信号がその画像表示メモリ１５１内に記憶されるようになっている。この画像表示メモリ１５１内に記憶された１フレーム分の画像信号がメモリ制御部１１１ａにより読み出されてＤ／Ａ変換回路１６０に導かれアナログの画像信号に変換されてから画像表示部１５０に表示用の画像信号であるＹＣ信号が供給される。この例では、画像表示部１５０に所定の間隔ごとに新しい画像信号を供給することができるようにするために画像表示メモリ１５１を設けて、その画像表示メモリ１５１に少なくとも２フレーム分の画像信号を記憶することができるようにして画像信号がＣＣＤ１２０から出力されたタイミングと画像表示部１５０で画像が表示されるタイミングとの間の時間差をうまく調整することができるようにしている。
【００３７】
また、本実施形態においては、ホワイトバランス調整やγ補正、さらに測光や測距がシステム制御回路１１０で行なわれる例が示されていて、ＲＧＢのアナログ信号がそのシステム制御回路１１０に供給されると、ホワイトバランス調整やγ補正や測光や測距等が行なわれて絞り１７４０の開口制御やフォーカスレンズ１７２０の合焦点への配置制御が行われるようになっている。さらにシステム制御回路１１０内での分割測光結果を発光量制御装置１１２に供給してその発光量制御装置１１２にＬＥＤ駆動回路１１３の駆動を制御させ複数のＬＥＤ１１４Ａ〜１１４Ｉそれぞれから撮影補助光を適正光量で照射させるようにしている。本実施形態においてはシステム制御回路１１０と発光量制御装置１１２とＬＥＤ駆動回路１１３とが本発明にいう発光制御部にあたり、９つのＬＥＤ１１４Ａ〜１１４Ｉが本発明にいう発光部にあたる。
【００３８】
ここで画像信号の流れとともに各部の処理を順に説明していく。
【００３９】
まずスルー画の画像信号の流れを説明する。
【００４０】
タイミング発生回路１２１からのタイミング信号（例えば３３ｍｓごと）に応じて、撮影レンズ１７２０でＣＣＤ固体撮像素子１２０上の受光面に結像させた被写体像を表わす画像信号を後段のＡ／Ｄ変換回路１３０に出力させる。このＡ／Ｄ変換回路１３０でアナログの画像信号からデジタルの画像信号に変換された画像信号が、メモリ制御部１１１ａの制御の基、画像処理回路１４０に導かれる。この画像処理回路１４０によってＲ色、Ｇ色、Ｂ色の各信号に分離されて色温度検出回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度検出回路１４１に供給されて各色温度の検出がこの色温度検出回路１４１により行われてシステム制御回路１１０内の各色アンプにその各色温度に応じたゲインが設定されてシステム制御回路１１０内で画像信号のホワイトバランス調整が行なわれるようになっている。また、ＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面上に表示される。
【００４１】
またシステム制御回路１１０ではＣＣＤ固体撮像素子１２０で生成した画像信号に基づいてＴＴＬ測距も行っており、その測距結果に基づいて、システム制御回路１１０は測距制御手段１７２にフォーカスレンズ１７２０を駆動させるようにしてフォーカスレンズ１７２０を常に合焦点に配置させるようにしている。また操作部１０１中のズームスイッチ（十字キー１０１ｂ）が操作されたときにはズーム制御手段１７２に指示してズームレンズ（１７２）をそのズームスイッチ１０１ｂのスイッチ位置に応じたズーム倍率が得られるところに配置するようにもしている。
【００４２】
ここで、レリーズ釦１０２が押されると撮影処理が開始される。
【００４３】
レリーズ釦１０２が押されるとレリーズ釦１０２が押されたタイミングでタイミング発生回路１２１からＣＣＤ固体撮像素子１２０に露光開始信号が供給され、所定のシャッタ秒時を経た後露光終了信号が供給される。
【００４４】
その露光終了信号に同期して画像信号がＡ／Ｄ変換部１３０に出力されデジタルの画像信号に変換される。このデジタルの画像信号が画像処理回路１４０に供給されＹＣ信号への変換処理が行なわれる。そうしたら、画像信号が一旦メモリ１８０に供給される。そのメモリ１８０にＣＣＤ固体撮像素子１２０が備えるすべての画素からなる画像信号が記憶されたら、今度はその画像信号が読み出されてシステム制御回路１１０に供給されホワイトバランス調整やガンマ補正などが行なわれる。さらにバスを介して圧縮・伸張回路１９０に供給され画像信号が圧縮されて記憶部２００例えばメモリカードに記憶される。
【００４５】
このような構成を持つデジタルカメラ１００の露光処理を、図３を参照して説明する。
【００４６】
図３は、レリーズ釦１０２が操作されて撮影開始の合図がシステム制御回路１１０に供給されたときにシステム制御回路１１０が行う撮影処理を説明するフローチャートである。
【００４７】
レリーズ釦１０２が撮影操作されたら、このフローの処理が開始される。
【００４８】
まずステップＳ３０１で発光量制御装置に指示を与えて、その発光量制御装置１１２の制御の基、ＬＥＤ駆動回路１１３に９つのＬＥＤ１１４Ａ〜１１４Ｉそれぞれを個別に駆動させそれぞれ独立にプリ発光を行わせる。次のステップＳ３０２へ進んでステップＳ３０２で被写体からの反射光をＣＣＤ固体撮像素子１２０の各画素に受光させ、一つの照射領域内に眼鏡等の高反射率のものが存在するかどうかを判定する。このステップＳ３０２で存在すると判定したらＹｅｓ側に進み、ステップＳ３０３で眼鏡等が存在する照射領域や他の照射領域それぞれに向けて照射すべき撮影補助光の発光光量を算出する。
【００４９】
次のステップＳ３０４で各領域の発光光量を発光量制御部に通知するとともに、システム制御回路１１０内部のレジスタに記憶しておく。次のステップＳ３０６で発光量制御装置１１２からの指示に基づいてＬＥＤ駆動回路１１３に各ＬＥＤ１１４Ａ〜１１４Ｉを駆動させることにより各照射領域にステップＳ３０３で算出した発光光量で撮影補助光を照射させてこのフローの処理を終了する。また、ステップＳ３０２で眼鏡等が存在しないと判定したらＮｏ側に進んでステップＳ３０５で画面全体が適正露出に近付くように各ＬＥＤの光量を算出して発光量制御装置に各領域の発光光量をセットする。次のステップに進んでステップＳ３０６で各ＬＥＤに本発光を行わせてこのフローの処理を終了する。
【００５０】
図４は、本発明にいう発光部にあたる９つのＬＥＤそれぞれが被写体に向けて撮影補助光を照射する照射領域それぞれを示す図である。
【００５１】
図４にはＣＣＤ固体撮像素子１２０の受光面（つまり撮影画角）とＬＥＤ１１４Ａ〜１１４Ｉが撮影補助光を照射する照射領域それぞれとが重ねて示されている。図４示すように太線枠内の各照射領域（１〜９）に向けて発光量制御装置１１２の制御の基、ＬＥＤ駆動回路１１３によりそれぞれ独立に制御された光が照射される。ここでは照射領域６と照射領域９との双方に眼鏡やガラス等の高反射率の物体（図中ハッチングで示した部分）が存在している場合の例が示されている。
【００５２】
この場合にはステップＳ３０２，Ｓ３０３，Ｓ３０４の処理で被写体領域６，９に向けては光量を下げて撮影補助光が照射される。
【００５３】
そこで、その光量を下げた分、輝度のばらつきが生じるので後から画像処理回路１４０で各領域の輝度を補正するようにしている。
【００５４】
図５は、画像処理回路１４０で行なう画像処理の処理手順を示すフローチャートであり、図６はその画像処理の内容を説明する図である。
【００５５】
本実施形態においては画像処理回路１４０がＤＳＰなどのプロセッサにより構成されそのプロセッサに処理を行なわせるためのプログラムがプロセッサ内部の内蔵メモリに格納されているとして以降説明する。
【００５６】
まずステップＳ５０１で画像処理回路１４０は、システム制御回路１１０からのパラメータセット等により各照射領域１〜９の発光光量を知る。そうしたらそれらを分類して発光量を下げた照射領域（例えば６と９）とその照射領域（６と９）に向けて照射させた光の発光量との双方を載せたリスト（以降の説明においては輝度が暗くなる領域のリストであるので暗リストという）を作成し、そのほかの照射領域（１，２，３，４，５，７，８）に関しても同様にリスト（以降の説明においては適正光量になる照射領域であって暗リストに比べると輝度が明るい領域となるので明リストという）を作成する。
【００５７】
次のステップＳ５０２で、明リストに空があるかどうかを判定する。明リストに空がなくすべての領域が明リスト側にリスティングされていると判定したらステップＳ５０３へ進んでこのフローの処理を終了する。またステップＳ５０２で明リストに空きがあると判定したら次のステップＳ５０４へ進んで今度は暗リストに空きがあるかどうかを判定する。暗リストがすべて空き状態であると判定したら、すべての領域の照射光量が明リストにリスティングされていることになるので、ステップＳ５０３へ進んでこのフローの処理を終了する。
【００５８】
ステップＳ５０４で、暗リストにリスティングされている領域が一つでもあると判定したら、次のステップＳ５０５へ進んでその暗リストの中の一つの領域に注目して周辺がすべて暗リストであるかどうかを判定する。このステップＳ５０５で、処理中の領域の周辺に明リストにリスティングされている領域があると判定したらステップＳ５０６でその明リスト側の輝度値を使って暗リスト側の領域の輝度を補正して補正後に暗リストのリスティングを抹消して明リストにその領域と補正値とを新たにリスティングするようにしてステップＳ５０４に戻る。ステップＳ５０５で処理中の領域の周辺がすべて暗リストであると判定したらＹｅｓ側に進んでステップＳ５０７で暗リスト内の次の候補に注目してステップＳ５０４、Ｓ５０５の処理を繰り返す。つまり処理中の暗リストにリスティングされている領域に隣接する領域に明リストにリスティングされている領域があるということが検出されるまで処理を繰り返す。ステップＳ５０５で処理中の領域の周辺に明リストがあると判定したらステップＳ５０６へ進んでステップＳ５０６でその明リストにリスティングされている領域の輝度情報に応じて暗リストにリスティングされている領域の輝度を補正して補正後に暗リストのリスティングを抹消して明リストに新たにリスティングするようにしてステップＳ５０４へ進む。すべての領域が暗リストから抹消されて明リスト側にリスティングされるようになったらステップＳ５０４でＹｅｓ側に進んでステップＳ５０３でこのフローの処理を終了する。
【００５９】
図６は、図５の処理内容を説明する図である。
【００６０】
図４でも説明したように、照射領域６と照射領域９の領域内に眼鏡等の高反射率の物体が存在したとする。
【００６１】
そうすると照射領域６と照射領域９とが暗リストに掲載されそれ以外の領域が明リストにリスティングされる。そこでまず暗リストにリスティングされている照射領域６に注目する。この６の周辺領域（２，３，５，８，９）のうちの明リスト（２，３，５．８）の輝度の平均を取って、領域６で輝度がある閾値を超えない範囲（白丸以外のハッチング部）の輝度の平均が同じになるように補正する。そして領域６のリスティング（登録）を暗リストから抹消して明リストに新たにリスティングするようにして、次に照射領域９の処理を行なう。
【００６２】
このようにすると、本発明にいう発光制御部であるシステム制御回路１１０が、プリ発光の反射光量分布に基づいて、本発光時に適正光量で照射したとすると画像信号が飽和する飽和点（図６のハッチング中の白丸部）が発生する否かを判定し、その飽和点が発生する場合には、本発光時にその飽和点を含む照射領域については適正光量よりも下げた光量で照射させるものであって、さらに、画像処理部である画像処理回路１４０が、本発光時に適正光量よりも下げた光量で照射させた照射領域について飽和点を非飽和な画像信号レベルに抑えるとともに、その飽和点（ハッチング内の白丸部）を除き適正光量で照射させた場合と同等の画像信号が得られるように画像処理を行なうことになる。
【００６３】
以上説明したように、眼鏡等のように一つの照射領域内に反射率の大きなものが存在したとしても被写体全体の露出を適正に保つことができる撮影装置が実現される。
【図面の簡単な説明】
【００６４】
【図１】本発明の撮影装置の一実施形態であるデジタルカメラを示す図である。
【図２】図１のデジタルカメラ１００の内部の構成を示す構成ブロック図である。
【図３】レリーズ釦１０２が全押しされたときの撮影処理を説明するフローチャートである。
【図４】９つのＬＥＤそれぞれが被写体に向けて撮影補助光を照射する照射領域それぞれを示す図である。
【図５】画像処理回路１４０で行なう画像処理の処理手順を示すフローチャートである。
【図６】画像処理の内容を説明する図である。
【符号の説明】
【００６５】
１００    デジタルカメラ
１１０    システム制御回路
１１２    発光制御装置
１１３    ＬＥＤ駆動回路
１１４Ａ  〜１１４Ｉ    ＬＥＤ
１２０    ＣＣＤ固体撮像素子
１３０  Ａ／Ｄ変換回路
１４０    画像処理回路
１５０  画像表示部
１５１    画像表示メモリ
１６０    Ｄ／Ａ変換回路
１７０    レンズ鏡胴
１７１０    バリア
１７２０    撮影レンズ（ズームレンズやフォーカスレンズ）
１７４０    絞り
【図１】
2007020103.tif 000003
【図２】
2007020103.tif 000004
【図３】
2007020103.tif 000005
【図４】
2007020103.tif 000006
【図５】
2007020103.tif 000007
【図６】
2007020103.tif 000008